(57)【要約】【課題】  ディスプレイの大画面化を図ることが出来、狭いスペースでも操作性が良好であり、然も消費電力の節減が可能な無線情報端末機を提供する。【解決手段】  本発明に係る無線情報端末機において、ケーシング１には、第１及び第２のディスプレイ21、22を具えた引出しパネル２が、ケーシング内に収納された収納位置とケーシングから突出した引出し位置の間で往復移動可能に配備され、引出しパネル２が引出し位置に引き出されることによって、第１及び第２のディスプレイ21、22の画像表示面の全体が露出する。又、ケーシング１には、収納位置に収納された引出しパネル２の第１ディスプレイ21の画像表示面の一部を露出させるための小窓12が設けられており、引出しパネル２が収納位置に収納された状態では第１ディスプレイ21のみが駆動される。【選択図】      図１
2005102267.tif 000002
【特許請求の範囲】
【請求項１】
携帯可能な小型のケーシングに、個別に駆動可能な複数のディスプレイを具えた少なくとも１枚の引出しパネルが、ケーシング内に収納された収納位置とケーシングから突出した引出し位置の間で往復移動可能に配備され、該引出しパネルが引出し位置に引き出されることによって、前記複数のディスプレイの画像表示面の全体が露出し、該ケーシングには、収納位置に収納された引出しパネルの１つのディスプレイの画像表示面の一部を露出させるための小窓が設けられており、引出しパネルが収納位置に収納された状態では前記１つのディスプレイのみを駆動して、前記小窓に対応する領域に画像の表示を行なうことを特徴とする無線情報端末機。
【請求項２】
前記引出しパネルに配備された複数のディスプレイによって、互いに関連する複数枚の画像を同時に表示するための複数の画面が構成される請求項１に記載の無線情報端末機。
【請求項３】
前記小窓から露出する画像表示面の一部には、受信待ち受け状態で必要な最少限の情報が表示される請求項１又は請求項２に記載の無線情報端末機。
【請求項４】
前記ケーシングには、複数の引出しパネルがそれぞれ収納位置と引出し位置の間で往復移動可能に配備され、これらの引出しパネルは個別に引出し操作が可能である請求項１乃至請求項３の何れかに記載の無線情報端末機。
【発明の詳細な説明】
【技術分野】
【０００１】
本発明は、携帯電話機の如く、携帯可能な小型のケーシングに操作キーとディスプレイとを配備した無線情報端末機に関するものである。
【背景技術】
【０００２】
一般に、携帯電話機においては、ケーシングの表面に、電話番号を入力するためのテンキーを含む複数の操作キーを配備すると共に、入力したデータを表示するための画像表示面が設けられているが、近年、電子メールの送受信機能など、携帯電話機の情報端末機としての機能の拡大に伴って、画像表示面に表示すべき情報の量が急激に増大している。
【０００３】
この様な状況の下、携帯電話機においては、ディスプレイの大画面化が図られているが、ケーシングの表面には、複数の操作キーを配備する必要があるため、ディスプレイの大画面化には限界がある。
そこで、ケーシングを折り畳み式として、本体を形成するケーシング半体に複数の操作キーを配備すると共に、蓋体を形成するケーシング半体にディスプレイを配備して、更にディスプレイの大型化を図ることが行なわれている。
【発明の開示】
【発明が解決しようとする課題】
【０００４】
しかしながら、折り畳み式の携帯電話機は、本体に対して蓋体を開閉可能に連結して構成され、開閉時には、蓋体が、ケーシング内面と平行に伸びる開閉軸を中心として大きく回動することになるため、混み合った車内で送信メールを作成したり、着信時に鞄の中で送信相手を確認するとき等に、狭いスペースで開閉操作を行なうことが困難である問題があった。
【０００５】
そこで本発明の目的は、ディスプレイの大画面化を図ることが出来、狭いスペースでも操作性が良好であり、然も消費電力の節減が可能な無線情報端末機を提供することである。
【課題を解決するための手段】
【０００６】
本発明に係る無線情報端末機において、ケーシングには、個別に駆動可能な複数のディスプレイを具えた少なくとも１枚の引出しパネルが、ケーシング内に収納された収納位置とケーシングから突出した引出し位置の間で往復移動可能に配備され、引出しパネルが引出し位置に引き出されることによって、前記複数のディスプレイの画像表示面の全体が露出する。
又、ケーシングには、収納位置に収納された引出しパネルの１つのディスプレイの画像表示面の一部を露出させるための小窓が設けられており、引出しパネルが収納位置に収納された状態では前記１つのディスプレイのみを駆動して、小窓に対応する領域に画像の表示を行なう。
【０００７】
例えば、引出しパネルは、ケーシングの表面と平行に伸びる直線上を移動し、若しくは、引出しパネルの表面と直交する軸を中心として回転して、収納位置と引出し位置の間を往復する。
【０００８】
上記本発明の無線情報端末機においては、情報を表示するための複数のディスプレイを具えた引出しパネルが、ケーシングから引出し可能に配備されているので、収納位置と引出し位置の間の往復移動において、引出しパネルは、直線上を往復移動し、若しくは、引出しパネルの表面と直交する軸を中心として回転するに過ぎず、従来の蓋体の如く大きく回動することはないので、引出しパネルの往復移動に必要なスペースは僅かで済む。従って、混み合った車内や鞄の中等、狭いスペースでも、引出しパネルの引出し／収納操作は容易である。
ここで、複数のディスプレイによって構成される画像表示面全体の広さは、ケーシングの表面と同等の広さまで拡大することが出来る。
【０００９】
又、引出しパネルが収納位置に収納された状態では、小窓から画像表示面が露出する１つのディスプレイのみに電源が供給されて、小窓に対応する領域に画像の表示が行なわれるので、消費電力の節減を図ることが出来る。
【００１０】
具体的には、小窓から露出する画像表示面の一部には、受信待ち受け状態で必要な最少限の情報、例えば電波状態や電池残量が表示される。従って、受信待ち受け状態において、引出しパネルをケーシングから引き出すことなく、必要な情報を知ることが出来る。
【００１１】
具体的には、引出しパネルに配備された複数のディスプレイによって、互いに関連する複数枚の画像を同時に表示するための複数の画面が構成される。
該具体的構成によれば、例えば１つの画面によって、機能や動作を選択するためのメニューを表示すると同時に、他の１つの画面によって、選択されたメニューの内容を表示することが出来る。
【００１２】
更に具体的には、ケーシングには、複数の引出しパネルがそれぞれ収納位置と引出し位置の間で往復移動可能に配備され、これらの引出しパネルは個別に引出し操作が可能である。
従って、表示すべき情報の量に応じて、必要な数の引出しパネルのみを引き出し、その引出しパネルのディスプレイにのみ電源を供給すれば、消費電力の節減を図ることが出来る。
【発明の効果】
【００１３】
本発明に係る無線情報端末機によれば、ケーシングの大きさを限度としてディスプレイの大画面化を図ることが出来、狭いスペースでも良好な操作性が得られ、然も消費電力の節減を図ることが可能である。
【発明を実施するための最良の形態】
【００１４】
以下、本発明を携帯電話機に実施した形態につき、図面に沿って具体的に説明する。
本発明に係る携帯電話機は、図１(ａ)(ｂ)に示す如く、アンテナ(３)が突設されると共に複数の操作キー(11)が配備された扁平小型のケーシング(１)を具え、該ケーシング(１)には、それぞれ液晶表示パネルからなる第１及び第２のディスプレイ(21)(22)を併設した引出しパネル(２)が、ケーシング(１)の表面と平行な直線上を往復移動可能に配備されており、同図(ａ)に示す如くケーシング(１)内に収容された収納位置と、同図(ｂ)に示す如くケーシング(１)から突出した引出し位置の２位置にセットすることが可能となっている。
【００１５】
従って、図１(ａ)の如く引出しパネル(２)を収納位置に収納することによって、引出しパネル(２)は略全体がケーシング(１)内に収納され、コンパクト化が図られる。又、図１(ｂ)の如く引出しパネル(２)を引出し位置まで引き出すことによって、第１ディスプレイ(21)及び第２ディスプレイ(22)の両画面の全体が露出して、後述の如く両画面を用いた種々の画像の表示が可能となる。
【００１６】
尚、引出しパネル(２)は、ケーシング(１)内に収納可能な範囲で出来るだけ大きく形成されており、その表面の略全域に跨って、第１及び第２ディスプレイ(21)(22)の画面が配置されている。従って、両画面を用いることにより、大量の情報を表示することが可能である。
【００１７】
ケーシング(１)には、引出しパネル(２)の収納位置にて第１ディスプレイ(21)の画面の上端部を露出させるための小窓(12)が設けられており、該小窓(12)を通して、第１ディスプレイ(21)の画面に表示されている画像を見ることが出来る様になっている。
即ち図１(ａ)中に示す様に、受信待ち受け状態における電池残量や電波状態等を表示する画像Ａ、着信時に着信を報知する画像Ｂ、相手の電話番号を表示する画像Ｃ、相手の氏名を表示する画像Ｄなどが、小窓(12)に対応する領域に切換え表示される。
【００１８】
更に、ケーシング(１)には、図１(ｂ)に示す様に、ＣＣＤカメラ(４)が出没可能に取り付けられており、例えばＴＶ電話機としての機能を実現することが出来る。
【００１９】
図２及び図３は、ケーシング(１)に対する引出しパネル(２)の支持構造を表わしている。ケーシング(１)には、側面に開口したパネル収容室(13)が形成されており、該パネル収容室(13)に引出しパネル(２)が収容されている。引出しパネル(２)の基端部にはシャフト(25)が取り付けられ、該シャフト(25)の両端部が、ケーシング(１)に形成された案内溝(15)に摺動可能に係合して、引出しパネル(２)の往復移動が案内されている。
尚、ケーシング(１)内には、パネル収容室(13)を挟んで上下に、前記操作キー(11)が配列されている操作キー基板(16)と、各種電子回路が形成されている回路基板(５)とが配備されている。
【００２０】
又、ケーシング(１)には、パネル収容室(13)の開口部(13a)の上方に、開口部(13a)を拡大する向きに傾斜する傾斜壁(14)が形成されている。又、引出しパネル(２)は、シャフト(25)に装着されたトーションばね(26)によって、反時計方向に回転付勢されている。
従って、引出しパネル(２)は、図２に示す収納位置では、ケーシング(１)のパネル収容室(13)にケーシング(１)の表面と平行な姿勢で収容され、保持されているが、図３に示す引出し位置へ移動する過程で、引出しパネル(２)は、トーションばね(26)の回転付勢力を受けて、矢印の如く反時計方向に回転し、水平姿勢から僅かに起き上がったチルトアップ姿勢にて、前記傾斜壁(14)に受け止められ、保持される。
【００２１】
この結果、引出しパネル(２)の第１及び第２ディスプレイ(21)(22)の画面が水平姿勢から起き上がって、斜め上方を向くことになる。これによって、画面が見易くなる。
図３の状態から引出しパネル(２)をケーシング(１)内に押し込めば、引出しパネル(２)は図２に示す如くパネル収容室(13)内の収納位置に戻る。
【００２２】
図４は、引出しパネル(２)に配備された第１ディスプレイ(21)及び第２ディスプレイ(22)と、ケーシング(１)内に配備された回路基板(５)との間の連結構造を表わしている。図示の如く第１及び第２ディスプレイ(21)(22)から伸びるフレキシブルリード(23)(24)が、回路基板(５)上に配備されたコネクター(51)(52)に連結されて、回路基板(５)に配備された駆動制御回路(図示省略)からディスプレイ(21)(22)へ駆動信号が供給される。
尚、引出しパネル(２)の収納位置と引出し位置の間の往復移動に伴って、フレキシブルリード(23)(24)は自由に屈曲するため、引出しパネル(２)の移動に支障はない。
【００２３】
引出しパネル(２)を引出し位置に設置した状態で、第１ディスプレイ(21)及び第２ディスプレイ(22)には、図５に示す如く、互いに関係する２つの画面を同時に表示することが可能であって、例えば、第１ディスプレイ(21)には、メニュー画面を表示する一方、第２ディスプレイ(22)には、メニュー画面で選択されたメニューの内容に関係する画面を表示する。或いは、第１ディスプレイ(21)には、メニュー画面を表示する一方、第２ディスプレイ(22)には、各メニューについてのデモンストレーション画像を表示する。或いは、第１ディスプレイ(21)には、ある地域の地図を表示し、第２ディスプレイ(22)には、その地域の解説文章を表示する。或いは、第１ディスプレイ(21)には、受信したメールの本文を表示する一方、第２ディスプレイ(22)には、添付画像を表示する。
【００２４】
上記携帯電話機においては、第１ディスプレイ(21)と第２ディスプレイ(22)とが独立して駆動されるので、図１(ａ)に示す引出しパネル(２)の収納位置では、第１ディスプレイ(21)のみを駆動して、小窓(12)に対応する領域に画像の表示を行ない、同図(ｂ)に示す引出しパネル(２)の引出し位置では、第１ディスプレイ(21)と第２ディスプレイ(22)の両方を駆動して、２画面による表示を行なうことが出来る。
従って、常に両ディスプレイ(21)(22)を駆動する方式に比べて、消費電力の節減を図ることが出来る。
【００２５】
尚、図１(ｂ)に示す引出しパネル(２)の引出し位置においても、表示すべき情報の量に応じて、１画面表示と２画面表示を切り替えることが可能である。
【００２６】
図６乃至図８は、本発明に係る携帯電話機の他の構成例を表わしている。
扁平小型のケーシング(１)には、第１引出しパネル(７)と第２引出しパネル(71)とが、ケーシング(１)の表面と平行な面内で回転可能に支持され、図７及び図８に示す如くケーシング(１)内に収納された収納位置と、図６に示す如くケーシング(１)から引き出された引出し位置の間で往復移動が可能となっている。
第１引出しパネル(７)には第１ディスプレイ(72)が配備され、第２引出しパネル(71)には第２ディスプレイ(73)が配備されている。
【００２７】
又、ケーシング(６)には、図７の如く第１引出しパネル(７)及び第２引出しパネル(71)を収納した状態で、該第１引出しパネル(７)のディスプレイ(72)の表示画面の一部を露出させるための小窓(62)が設けられている。
従って、受信待ち受け状態においては、図７の如く、小窓(62)に対応する表示領域に、電池残量や電波状態を表示することによって、第１引出しパネル(７)を引き出すことなく、必要な情報を知ることが出来る。
【００２８】
上記携帯電話機においては、第１引出しパネル(７)と第２引出しパネル(71)を個別に引き出すことが可能であって、引き出されたパネルのディスプレイのみが駆動されて、必要な情報の表示が行なわれる。
従って、両引出しパネル(７)(71)のディスプレイを常に駆動する方式に比べて、消費電力の節減が可能である。
尚、第１引出しパネル(７)と第２引出しパネル(71)の引出し順序に応じ、最初に引き出された１枚のパネルのディスプレイに、全ての情報を表示するために他の１枚のパネルも引き出す必要があるかどうかを表示すれば、ユーザはその表示に応じて他の１枚のパネルも引き出すことが出来、便利である。
【図面の簡単な説明】
【００２９】
【図１】本発明に係る携帯電話機において、引出しパネルを収納した状態と引き出した状態の正面図である。
【図２】引出しパネルを収納した状態の断面図である。
【図３】引出しパネルを引き出した状態の断面図である。
【図４】引出しパネルと回路基板の連結構造を表わす斜視図である。
【図５】引出しパネルによる２画面表示の例を表わす正面図である。
【図６】本発明に係る携帯電話機の他の構成例において、引出しパネルを引き出した状態の正面図である。
【図７】引出しパネルを収納した状態の正面図である。
【図８】引出しパネルを収納した状態の平面図である。
【符号の説明】
【００３０】
(１)  ケーシング
(11)  操作キー
(12)  小窓
(16)  操作キー基板
(２)  引出しパネル
(21)  第１ディスプレイ
(22)  第２ディスプレイ
(５)  回路基板
【図１】
2005102267.tif 000003
【図２】
2005102267.tif 000004
【図３】
2005102267.tif 000005
【図４】
2005102267.tif 000006
【図５】
2005102267.tif 000007
【図６】
2005102267.tif 000008
【図７】
2005102267.tif 000009
【図８】
2005102267.tif 000010